(57)【要約】本発明は、着用者にとって使い勝手のよい空調衣服を提供する。送風手段５０が取り付けられる孔部の周囲における服地部１０には、略円環形状のポリプロピレン・シートが設けられる。送風手段５０は、着脱可能な二つの部品を有しており、各部品でポリプロピレン・シートを挟み込んだ状態で服地部１０に取り付けられる。これにより、たとえ服地部１０が引っ張られたとしても、送風手段５０が服地部１０から外れてしまうのを防止することができる。また、送風手段５０の前面が身体表面と略平行となるように、送風手段５０を上方から吊り下げる吊り下げ手段１００が設けられている。また、送風手段５０を身体又は下着に固定するための固定手段２００が設けられている。更に、二つの送風手段５０の間隔を拡大するための間隔拡大手段３００が設けられている。【特許請求の範囲】
【請求項１】
身体の所定部位を覆うと共に、身体又は下着との間の空間において空気を身体又は下着の表面に沿って案内するための服地部と、
前記服地部と身体又は下着との間の空間に空気の流れを強制的に生じさせるための一又は複数の送風手段と、
前記送風手段に電力を供給する電源手段と、
前記送風手段と同じ数だけ前記服地部の所定箇所に形成された孔部と、
前記孔部の周囲における前記服地部に取り付けられた略円環形状の非伸縮性素材と、
を具備し、
前記送風手段が着脱可能な二つの部品を有しており、且つ、前記各部品を前記孔部を介して互いに対向するように配置した後、前記各部品で前記非伸縮性素材を挟み込み、その挟み込んだ状態のまま前記二つの部品を連結することにより、前記送風手段を前記服地部に取り付けることを特徴とする空調衣服。
【請求項２】
前記非伸縮性素材としてポリプロピレン・シートを用いたことを特徴とする請求項１記載の空調衣服。
【請求項３】
前記送風手段が二つ設けられ、前記孔部が前記服地部の背中側の下部であって脇腹に近い左右両側に形成されており、且つ、前記二つの送風手段を身体又は下着に固定するための固定手段をさらに備えることを特徴とする請求項１又は２記載の空調衣服。
【請求項４】
前記固定手段が、前記各孔部の近傍における前記服地部の裏面であって脇腹側の所定位置に取り付けられた一組の紐状部材であり、
前記一組の紐状部材を身体の前面側に引き回して前記一組の紐状部材の先端を連結することにより、前記送風手段を身体又は下着に固定することを特徴とする請求項３記載の空調衣服。
【請求項５】
身体の所定部位を覆うと共に、身体又は下着との間の空間において空気を身体又は下着の表面に沿って案内するための服地部と、
前記服地部と身体又は下着との間の空間に空気の流れを強制的に生じさせるための一又は複数の送風手段と、
前記送風手段に電力を供給する電源手段と、
前記送風手段と同じ数だけ前記服地部の所定箇所に形成された孔部と、
を具備し、
前記送風手段は、モータ及び羽根車が収納された略円筒形状の収納部及び、前記収納部の前面側に設けられた、前記孔部より大きいフランジ部を有する本体部品と、前記本体部品の後方から前記収納部を覆うようにして前記本体部品に着脱可能に取り付けられる取付部品とを備えており、
前記送風手段を前記服地部に取り付ける際には、前記本体部品の後部を前記服地部の表側から前記孔部に挿入して前記フランジ部を前記孔部の周囲における前記服地部に当接させ、前記服地部の裏側から前記取付部品を前記収納部に取り付けることにより、前記フランジ部と前記取付部品とによって前記孔部の周囲における前記服地部を挟み込むことを特徴とする空調衣服。
【請求項６】
前記送風手段は、前記本体部品に設けられた第一係合手段と前記取付部品に設けられた第二係合手段とを係合させることにより前記本体部品と前記取付部品とを着脱自在に取り付ける着脱手段を備えており、前記第一係合手段及び前記第二係合手段のうち少なくとも一方にスプリング性を持たせたことを特徴とする請求項５記載の空調衣服。
【請求項７】
身体の所定部位を覆うと共に、身体又は下着との間の空間において空気を身体又は下着の表面に沿って案内するための服地部と、
前記服地部と身体又は下着との間の空間に空気の流れを強制的に生じさせるための一又は複数の送風手段と、
前記送風手段に電力を供給する電源手段と、
前記送風手段と同じ数だけ前記服地部の所定箇所に形成された、前記送風手段を取り付けるための孔部と、
前記孔部に取り付けられた前記送風手段の前面が身体表面と略平行となるように、前記送風手段をその上方の前記服地部から吊り下げると共に、前記服地部又は前記送風手段と着脱可能に構成された吊り下げ手段と、
を具備することを特徴とする空調衣服。
【請求項８】
前記吊り下げ手段が、前記送風手段の後部に紐状部材の一端を取り付け、前記紐状部材の他端を前記送風手段の上方であって前記服地部の裏面の所定位置に取り付けることにより、前記送風手段を傾きを調整するものであることを特徴とする請求項７記載の空調衣服。
【請求項９】
身体の所定部位を覆うと共に、身体又は下着との間の空間において空気を身体又は下着の表面に沿って案内するための服地部と、
前記服地部と身体又は下着との間の空間に空気の流れを強制的に生じさせるための二つの送風手段と、
前記二つの送風手段に電力を供給するための電源手段と、
前記服地部の背中側の下部であって脇腹に近い左右両側に形成された、前記送風手段を取り付けるための孔部と、
前記二つの送風手段の間隔を拡大するための間隔拡大手段と、
を具備することを特徴とする空調衣服。
【請求項１０】
前記間隔拡大手段が前記二つの送風手段の間隔を少なくとも５０ｍｍ、多くとも２００ｍｍ拡大するものであることを特徴とする請求項９記載の空調衣服。
【請求項１１】
前記間隔拡大手段が、前記二つの送風手段の間に位置する前記服地部の部分に設けられた剰余服地部と、前記二つの送風手段の間隔を一定に保持する間隔保持手段とを有するものであり、
前記間隔保持手段を解除して前記剰余服地部を拡げることにより、前記二つの送風手段の間隔を拡大することを特徴とする請求項９又は１０記載の空調衣服。
【請求項１２】
前記間隔拡大手段が、前記二つの送風手段の間に位置する前記服地部の部分において上下方向に沿って形成された、前記服地部の後部を開閉するための後部開閉手段であり、
前記後部開閉手段を用いて前記服地部の後部を開けることにより、前記二つの送風手段の間隔を拡大することを特徴とする請求項９又は１０記載の空調衣服。
【請求項１３】
前記後部開閉手段がファスナー又はマジックテープ（登録商標）であることを特徴とする請求項１２記載の空調衣服。
【発明の詳細な説明】
【技術分野】
【０００１】  本発明は、身体の表面に略平行な空気の流れを発生させることにより身体を冷却する空調衣服に関する。
【背景技術】
【０００２】  最近、身体を冷却する空調衣服が広く知られるようになってきた（例えば、特許文献１参照。）。かかる空調衣服は、服地と身体又は下着との間に空気を流通させるための流通路と、服地に取り付けられた送風手段とを備える。ここで、送風手段は、通常、服地の背中側の下部に取り付けられる。空調衣服を着用し、送風手段を駆動すると、その送風手段により服地と身体又は下着との間の空間に空気の流れが強制的に生じ、服地と身体又は下着との間の空間において空気が身体の表面に沿って流通するようになる。これにより、身体の表面における湿度勾配を大きくして、身体が必要とする放熱量に対応して供給される汗をすべて気化させることができる。そして、汗が気化すると、その気化の際に熱が身体から奪われるため、身体が冷却される。【０００３】
【特許文献１】国際公開第０２／０６７７０８号パンフレット
【発明の開示】
【発明が解決しようとする課題】
【０００４】  ところで、上記の空調衣服については、送風手段が服地に直接取り付けられていることに起因して、いくつかの問題が指摘されている。第一に、服地が引っ張られた場合等に、送風手段が服地から容易に外れてしまうという問題がある。送風手段が服地から外れると、当然、冷却効果が得られなくなってしまう。第二に、送風手段がある程度重いため、送風手段を服地に取り付けたときに、送風手段が傾いてしまうという問題がある。送風手段が傾くと、空調衣服の見た目が悪くなり、しかも、空調衣服の空調機能自体も低下してしまう。第三に、空調衣服の着用者が作業中に走ったり、跳ねたりすると、送風手段が揺れて動いてしまうという問題がある。送風手段が揺れ動くと、作業の内容によっては作業に重大な支障を生じるような事態の発生も起こり得る。第四に、空調衣服を着用したまま、例えば車の座席に座ったりすると、送風手段が着用者の背中を押し付けることになり、座り心地がとても悪いという問題がある。したがって、着用者は送風手段が外れたり揺れたりしないように細心の注意を払いながら空調衣服を使用しなければならず、とても使い勝手が悪い。【０００５】  本発明は上記事情に基づいてなされたものであり、着用者にとって使い勝手のよい空調衣服を提供することを目的とするものである。
【課題を解決するための手段】
【０００６】  上記の目的を達成するための請求項１記載の発明に係る空調衣服は、身体の所定部位を覆うと共に、身体又は下着との間の空間において空気を身体又は下着の表面に沿って案内するための服地部と、前記服地部と身体又は下着との間の空間に空気の流れを強制的に生じさせるための一又は複数の送風手段と、前記送風手段に電力を供給する電源手段と、前記送風手段と同じ数だけ前記服地部の所定箇所に形成された孔部と、前記孔部の周囲における前記服地部に取り付けられた略円環形状の非伸縮性素材と、を具備し、前記送風手段が着脱可能な二つの部品を有しており、且つ、前記各部品を前記孔部を介して互いに対向するように配置した後、前記各部品で前記非伸縮性素材を挟み込み、その挟み込んだ状態のまま前記二つの部品を連結することにより、前記送風手段を前記服地部に取り付けることを特徴とするものである。【０００７】  また、請求項２記載の発明は、請求項１記載の空調衣服において、前記非伸縮性素材としてポリプロピレン・シートを用いたことを特徴とするものである。【０００８】  また、請求項３記載の発明は、請求項１又は２記載の空調衣服において、前記送風手段が二つ設けられ、前記孔部が前記服地部の背中側の下部であって脇腹に近い左右両側に形成されており、且つ、前記二つの送風手段を身体又は下着に固定するための固定手段をさらに備えることを特徴とするものである。【０００９】  更に、請求項４記載の発明は、請求項３記載の空調衣服において、前記固定手段が、前記各孔部の近傍における前記服地部の裏面であって脇腹側の所定位置に取り付けられた一組の紐状部材であり、前記一組の紐状部材を身体の前面側に引き回して前記一組の紐状部材の先端を連結することにより、前記送風手段を身体又は下着に固定することを特徴とするものである。【００１０】  上記の目的を達成するための請求項５記載の発明に係る空調衣服は、身体の所定部位を覆うと共に、身体又は下着との間の空間において空気を身体又は下着の表面に沿って案内するための服地部と、前記服地部と身体又は下着との間の空間に空気の流れを強制的に生じさせるための一又は複数の送風手段と、前記送風手段に電力を供給する電源手段と、前記送風手段と同じ数だけ前記服地部の所定箇所に形成された孔部と、を具備し、前記送風手段は、モータ及び羽根車が収納された略円筒形状の収納部及び、前記収納部の前面側に設けられた、前記孔部より大きいフランジ部を有する本体部品と、前記本体部品の後方から前記収納部を覆うようにして前記本体部品に着脱可能に取り付けられる取付部品とを備えており、前記送風手段を前記服地部に取り付ける際には、前記本体部品の後部を前記服地部の表側から前記孔部に挿入して前記フランジ部を前記孔部の周囲における前記服地部に当接させ、前記服地部の裏側から前記取付部品を前記収納部に取り付けることにより、前記フランジ部と前記取付部品とによって前記孔部の周囲における前記服地部を挟み込むことを特徴とするものである。【００１１】  また、請求項６記載の発明は、請求項５記載の空調衣服において、前記送風手段は、前記本体部品に設けられた第一係合手段と前記取付部品に設けられた第二係合手段とを係合させることにより前記本体部品と前記取付部品とを着脱自在に取り付ける着脱手段を備えており、前記第一係合手段及び前記第二係合手段のうち少なくとも一方にスプリング性を持たせたことを特徴とするものである。【００１２】  上記の目的を達成するための請求項７記載の発明に係る空調衣服は、身体の所定部位を覆うと共に、身体又は下着との間の空間において空気を身体又は下着の表面に沿って案内するための服地部と、前記服地部と身体又は下着との間の空間に空気の流れを強制的に生じさせるための一又は複数の送風手段と、前記送風手段に電力を供給する電源手段と、前記送風手段と同じ数だけ前記服地部の所定箇所に形成された、前記送風手段を取り付けるための孔部と、前記孔部に取り付けられた前記送風手段の前面が身体表面と略平行となるように、前記送風手段をその上方の前記服地部から吊り下げると共に、前記服地部又は前記送風手段と着脱可能に構成された吊り下げ手段と、を具備することを特徴とするものである。【００１３】  また、請求項８記載の発明は、請求項７記載の空調衣服において、前記吊り下げ手段が、前記送風手段の後部に紐状部材の一端を取り付け、前記紐状部材の他端を前記送風手段の上方であって前記服地部の裏面の所定位置に取り付けることにより、前記送風手段を傾きを調整するものであることを特徴とするものである。【００１４】  上記の目的を達成するための請求項９記載の発明に係る空調衣服は、身体の所定部位を覆うと共に、身体又は下着との間の空間において空気を身体又は下着の表面に沿って案内するための服地部と、前記服地部と身体又は下着との間の空間に空気の流れを強制的に生じさせるための二つの送風手段と、前記二つの送風手段に電力を供給するための電源手段と、前記服地部の背中側の下部であって脇腹に近い左右両側に形成された、前記送風手段を取り付けるための孔部と、前記二つの送風手段の間隔を拡大するための間隔拡大手段と、を具備することを特徴とするものである。【００１５】  また、請求項１０記載の発明は、請求項９記載の空調衣服において、前記間隔拡大手段が前記二つの送風手段の間隔を少なくとも５０ｍｍ、多くとも２００ｍｍ拡大するものであることを特徴とするものである。【００１６】  また、請求項１１記載の発明は、請求項９又は１０記載の空調衣服において、前記間隔拡大手段が、前記二つの送風手段の間に位置する前記服地部の部分に設けられた剰余服地部と、前記二つの送風手段の間隔を一定に保持する間隔保持手段とを有するものであり、前記間隔保持手段を解除して前記剰余服地部を拡げることにより、前記二つの送風手段の間隔を拡大することを特徴とするものである。【００１７】  更に、請求項１２記載の発明は、請求項９又は１０記載の空調衣服において、前記間隔拡大手段が、前記二つの送風手段の間に位置する前記服地部の部分において上下方向に沿って形成された、前記服地部の後部を開閉するための後部開閉手段であり、前記後部開閉手段を用いて前記服地部の後部を開けることにより、前記二つの送風手段の間隔を拡大することを特徴とするものである。【００１８】  加えて、請求項１３記載の発明は、請求項１２記載の空調衣服において、前記後部開閉手段がファスナー又はマジック���ープ（登録商標）であることを特徴とするものである。
【発明の効果】
【００１９】  請求項１記載の発明によれば、孔部の周囲における服地部に、略円環形状の非伸縮性素材を取り付けると共に、送風手段の二つの部品を孔部を介して互いに対向するように配置した後、二つの部品で非伸縮性素材を挟み込み、その挟み込んだ状態のまま二つの部品を連結することにより、送風手段を服地部に取り付けている。このため、たとえ服地部が引っ張られたとしても、送風手段が服地部から外れてしまうのを防止することができる。したがって、着用者は空調衣服の着用時に送風手段が外れないように細心の注意を払う必要がなくなり、空調衣服の使い勝手がとても向上する。【００２０】  また、請求項４記載の発明によれば、送風手段を身体又は下着に固定するための固定手段を備えることにより、着用者が動き回ったとしても送風手段が揺れてしまうのを防止することができる。このため、送風手段が揺れ動くことにより作業に重大な支障が生じるという事態の発生を未然に防止することができる。したがって、着用者は空調衣服の着用時に送風手段が揺れないように細心の注意を払う必要がなくなり、空調衣服の使い勝手がとても向上する。【００２１】  請求項５記載の発明によれば、送風手段が、略円筒形状の収納部及び、収納部の前面側に設けられた、孔部より大きいフランジ部を有する本体部品と、本体部品の後方から収納部を覆うようにして本体部品に着脱可能に取り付けられる取付部品とを備えており、送風手段を服地部に取り付ける際には、本体部品の後部を服地部の表側から孔部に挿入してフランジ部を孔部の周囲における服地部に当接させ、服地部の裏側から取付部品を収納部に取り付けることにより、フランジ部と取付部品とによって孔部の周囲における服地部を挟み込んでいる。このように送風手段本体として一体的に構成されたものを用いたことにより、送風手段を服地部から取り外す際に、空調衣服の使用者が羽根車を直接、触れないようにするにすることができるので、使用者の安全を確保することができる。しかも、本体部品と取付部品とを容易に着脱することができるので、空調衣服の使い勝手がとても向上する。【００２２】  請求項７記載の発明によれば、孔部に取り付けられた送風手段の前面が身体表面と略平行となるように、送風手段を上方から吊り下げる吊り下げ手段を備えることにより、空調衣服を着用したときに送風手段の設けられた部分の見た目が悪くなるのを防止することができると共に、送風手段が傾いていることによって空調能力が低下するのを防止することができる。したがって、着用者は空調衣服の着用時にその外観を気にする必要がなくなり、空調衣服の使い勝手がとても向上する。【００２３】  請求項９記載の発明によれば、二つの送風手段の間隔を拡大するための間隔拡大手段を備えることにより、例えば車の座席に座る場合等には、間隔拡大手段を用いて二つの送風手段をそれぞれ左右の脇腹に対応する位置に移動させることができる。このため、着用者は、座席の背もたれ部分に寄り掛かかっても、送風手段が着用者の背中を押し付けることはなく、したがって、座り心地が改善される。また、着用者が背もたれ部分に寄り掛かった状態でも、送風手段の前面が背もたれ部分によって塞がれてしまうことはなく、送風手段の送��能力が低下することはない。したがって、着用者は空調衣服の着用時に、椅子の背もたれ部分に寄り掛からないように注意を払う必要がなくなり、空調衣服の使い勝手がとても向上する。
【図面の簡単な説明】
【００２４】［図１］（ａ）は本発明の一実施形態である空調衣服の概略正面図、（ｂ）はその空調衣服の概略背面図である。
［図２］その空調衣服の孔部を説明するための図である。
［図３］（ａ）は本実施形態の空調衣服に用いられる送風手段の概略正面図、（ｂ）はその送風手段の概略側面図である。
［図４］その送風手段の内部ファンガードの概略正面図、
［図５］（ａ）はその送風手段の外部ファンガードの概略側面図、（ｂ）はその外部ファンガードの概略底面図である。
［図６］送風手段が服地部に取り付けられた状態を説明するための概略断面図である。
［図７］吊り下げ手段を説明するための図である。
［図８］（ａ）は吊り下げ手段を設けない場合の送風手段の状態を説明するための図、（ｂ）は吊り下げ手段を設けた場合の送風手段の状態を説明するための図である。
［図９］（ａ）は固定手段を説明するための図、（ｂ）はその固定手段の使用状態を説明するための概略断面図である。
［図１０］（ａ）は間隔拡大手段を説明するための図、（ｂ）はその間隔拡大手段を用いて二つの送風手段の間隔を拡げた状態を説明するための図である。
［図１１］（ａ）は間隔拡大手段の変形例を説明するための図、（ｂ）はその間隔拡大手段を用いて二つの送風手段の間隔を拡げた状態を説明するための図である。
［図１２］一体型の送風手段を用いた場合にその送風手段の服地部への着脱方法を説明するための図である。
【符号の説明】
【００２５】１０  服地部
１２  送風手段取付部
１２ａ  ポリプロピレン・シート
２０  前部開閉手段
３０  空気流通部
４０  孔部
５０，５００  送風手段
５１  モータ
５２  羽根車
５３  内部ファンガード
５３ａ  底板
５３ｂ  ファンガード柱
５３ｃ  第一フランジ部
５３ｄ  第一爪部
５４  外部ファンガード
５４ａ  ファンガード部材
５４ｂ  第二フランジ部
５４ｃ  円環状部
５４ｄ  第二爪部
５１０  本体部品
５１１  収納部
５１２  フランジ部
５２０  取付部品
６０  電源手段
１００  吊り下げ手段
１１０  紐状部材
１２０  円環状部材
１３０  着脱手段
２００  固定手段
２１０  紐状部材
３００  間隔拡大手段
３００ａ  ファスナー
３１０  剰余服地部
３２０  間隔保持手段
３２１  紐状部材
３２２  接続器具
【発明を実施するための最良の形態】
【００２６】  以下に、図面を参照して、本願に係る発明を実施するための最良の形態について説明する。図１（ａ）は本発明の一実施形態である空調衣服の概略正面図、図１（ｂ）はその空調衣服の概略背面図、図２はその空調衣服の孔部を説明するための図である。【００２７】  本実施形態の空調衣服は、図１及び図２に示すように、服地部１０と、前部開閉手段２０と、空気流通部３０と、二つの孔部４０，４０と、二つの送風手段５０，５０と、電源手段６０と、吊り下げ手段１００と、固定手段２００と、間隔拡大手段３００とを具備するものである。ここで、図２では、送風手段５０が取り付けられていない状態を示しており、また、吊り下げ手段１００、固定手段２００及び間隔拡大手段３００を省略して示している。【００２８】  かかる空調衣服は、送風手段５０，５０により服地部１０と身体又は下着との間の空間に空気の流れを強制的に生じさせ、服地部１０と身体又は下着との間の空間において空気を身体又は下着の表面に沿って流通させるものである。このため、身体の表面における湿度勾配を大きくして、身体が必要とする放熱量に対応する量の汗を気化させることができるので、その気化の際に人体から気化熱が奪われることを利用して人体を冷却することができる。この作用を「生理クーラー」と称する。尚、本実施形態では、「下着」とは、空調衣服の下に着用される衣類を意味する。空調衣服は、身体の上に直接着用してもよいが、下着の上に着用することもできる。【００２９】  生理クーラーについてもう少し詳しく説明する。人間は皮膚や体で暑さを検出し、この情報を脳で処理し、体が要求する冷却量に対応した量の汗を出すようになっている。汗を１００％蒸発することができれば、その人にとってその時に丁度よい放熱を行うことができる。汗を蒸発させるためには空気が必要であり、空調衣服は、身体又は下着の表面に沿って大量の空気を流すことにより、汗が１００％蒸発できる範囲を拡大することができる。但し、空調衣服を着用していても空気の流量が少なければ、そよ風が吹いている状況下で夏用の通気性のよいシャツを着用している場合の方がかえって快適さが得られることもある。すなわち、空調衣服を着用する場合、身体又は下着の表面に沿って流す空気の流量が少ないと、あまり冷却効果が得られない。したがって、生理クーラーが有効に機能する範囲を拡大するためには、空調衣服の着用者が成人である場合、実用的には３リットル／秒以上、好ましくは５リットル／秒以上の空気の流量が必要である。【００３０】  服地部１０は、身体の所定部位を覆うものである。本実施形態では、かかる服地部１０を用いて、上半身を覆う半袖の作業用衣服、具体的にはワイシャツ型の衣服を製作している。また、服地部１０は、服地部１０と身体又は下着との間の空間において、送風手段５０，５０により発生された空気を身体又は下着の表面に沿って案内するという役割をも果たす。すなわち、服地部１０は、身体を覆う衣服としての役割と共に、空気案内手段としての役割をも果たす。【００３１】  服地部１０を空気案内手段として用いるためには、服地部１０の素材として、服地部１０と身体又は下着との間の空間において空気をスムーズに流すことができ、且つ空気が外部にあまり漏れないようなものを用いることが望ましい。一般に、空調衣服用の服地部１０の素材としては、空気漏れのあまりないような素材であれば、どのような素材を用いてもよい。例えば、ポリエステル布、ナイロン布等のプラスチック繊維で作られた布や、高密度布を用いることができる。むろん使用目的によっては、綿などの天然繊維や、これらの混紡繊維を用いてもよい。【００３２】  服地部１０の前部には、図１（ａ）に示すように、前部開閉手段２０が設けられている。この前部開閉手段２０は、空調衣服を着用する際にその前部を開閉するためのものである。本実施形態では、空調衣服としてワイシャツ型の衣服を用いることにしているので、前部開閉手段２０としては、ボタンを用いている。尚、前部開閉手段２０としてボタンを用いているので、服地部２０の前部の重なり合う部分から空気漏れが多少発生するが、この程度の空気漏れであれば、当該空調衣服は実用上十分な空調能力を有する。【００３３】  服地部１０の下部は、一般のワイシャツ等と同様に、着用者の臀部及び下腹部を覆うことができるように長めに形成されている。このため、服地部１０の下部をズボン等の中に入れて、空調衣服を着用することにより、服地部１０の下部から服地部１０内を流通する空気が外部に漏れるのを防止することができる。【００３４】  空気流通部３０は、服地部１０と身体又は下着との間の空間内を流れる空気を外部に取り出す空気流出部又は外部の空気を服地部１０と身体又は下着との間の空間内に取り入れる空気流入部として利用される。空気流通部３０を空気流出部として利用するか、空気流入部として利用するかは、送風手段５０の送風方式によって決められる。すなわち、送風手段５０が外部の空気を服地部１０内に取り込むように動作する場合には、空気流通部３０は空気流出部として利用され、一方、送風手段５０が服地部１０内の空気を外部に排出するように動作する場合には、空気流通部３０は空気流入部として利用される。本実施形態では、空気流通部３０を空気流出部として利用する。また、本実施形態では、空調衣服に三つの空気流通部３０，３０，３０を設けている。具体的には、衣服としての機能上、服地部１０の所定の端部に形成される開口部、すなわち、襟周り部分の開口部と、左右の袖口部分の開口部とが空気流通部３０，３０，３０である。【００３５】  図２に示すように、服地部１０の背中側の下部であって脇腹に近い左右両側にはそれぞれ、孔部４０，４０が形成されている。孔部４０は送風手段５０の取付位置となる。このため、孔部４０は、送風手段５０の数と同じ数だけ形成されている。また、各孔部４０，４０の周囲における服地部１０の部分は、送風手段５０，５０を空調衣服に取り付ける際に利用される送風手段取付部１２，１２となる。かかる送風手段５０，５０の取付位置は、作業時に腕を送風手段５０，５０にぶつけてしまうことがなく、しかも、空調衣服を前から見たときに、送風手段５０，５０が見えず、空調衣服の見栄えがよいという点で、最も好ましい位置である。具体的に、Ｍサイズの空調衣服では、二つの送風手段５０，５０の間隔は約３８０ｍｍである。【００３６】  本実施形態では、送風手段取付部１２に��略円環形状のポリプロピレン・シート１２ａを取り付けている。ここで、ポリプロピレン・シート１２ａとしては、厚さが約０．２ｍｍであるものを用いている。また、ポリプロピレン・シート１２ａは、打ち抜き等により高い精度で一定の形状に形成することが可能である。具体的に、送風手段取付部１２は、次のようして形成される。すなわち、まず、服地部１０の所定位置に孔を空けた後、その孔の周囲における服地部１０の部分を裏側に折り返す。次に、その折り返したことにより重なっている服地部１０の間に、略円環形状のポリプロピレン・シート１２ａを挿入する。その後、ポリプロピレン・シート１２ａが挿入された服地部１０の部分に裏側から布地を宛がい、当該部分を糸で縫う。こうして、ポリプロピレン・シート１２ａが縫い込まれた送風手段取付部１２が形成される。ポリプロピレン・シート１２ａは、伸び縮みしないという非伸縮性を有する。かかるポリプロピレン・シート１２ａを送風手段取付部１２に設けたことにより、孔部４０の付近の服地部１０を引っ張ったり、服地部１０を何度も洗濯したりしても、孔部４０の形状が大きく変化してしまうことはない。【００３７】  送風手段５０は、服地部１０と身体又は下着との間の空間に空気の流れを強制的に生じさせるものである。二つの送風手段５０，５０は、外部の空気を服地部１０内に取り込む方向に回転する。すなわち、送風手段５０，５０の送風方式としては吸気方式を採用している。送風手段５０，５０の送風方式を吸気方式とすると、送風手段５０，５０を介して外部から服地部１０内に流入する空気によって、服地部１０と身体又は下着との間に、空気の流通空間が自動的に形成される。送風手段５０，５０に電力が供給されると、送風手段５０，５０は外部の空気を服地部１０内に取り込み、その取り込まれた空気は、服地部１０の存在により服地部１０と身体又は下着との間の空間内を流通する。そして、その流通する空気は空気流通部３０，３０，３０に達すると、そこから外部に排出される。【００３８】  次に、送風手段５０の構造について説明する。図３（ａ）は本実施形態の空調衣服に用いられる送風手段５０の概略正面図、図３（ｂ）はその送風手段５０の概略側面図、図４はその送風手段５０に用いられる内部ファンガードの概略正面図、図５（ａ）はその送風手段５０に用いられる外部ファンガードの概略側面図、図５（ｂ）はその外部ファンガードの概略底面図である。【００３９】  送風手段５０は、図３に示すように、モータ５１と、羽根車５２と、内部ファンガード（第一部品）５３と、外部ファンガード（第二部品）５４とを備えている。モータ５１は羽根車５２を回転駆動するものである。モータ５１及び羽根車５２は内部ファンガード５３内に取り付けられている。また、内部ファンガード５３と外部ファンガード５４とは着脱可能に構成されている。【００４０】  内部ファンガード５３は、図３及び図４に示すように、円形状の底板５３ａと、多数のファンガード柱５３ｂと、円環形状の第一フランジ部５３ｃと、第一爪部５３ｄとを有する。底板５３ａは、モータ固定板としての役割を果たす。具体的には、モータ５１は、底板５３ａの中央に固定される。そして、モータ５１の回転軸には羽根車５２が取り付けられている。ファンガード柱５３ｂは、底板５３ａと第一フランジ部５３ｃとを繋ぐものであり、底板５３ａの周囲部に沿って所定の間隔で取り付けられる。これらのファンガード柱５３ｂは、指が内部ファンガード５３内に入るのを防ぐ役割を果たす。第一フランジ部５３ｃは、孔部４０よりも大きなサイズに形成されている。このため、内部ファンガード５３を服地部１０の裏側から孔部４０に対応する位置に配置したときに、第一フランジ部５３ｃは送風手段取付部１２と当接することになる。第一爪部５３ｄは、フランジ部５３ｃの所定の二箇所に設けられている。【００４１】  また、外部ファンガード５４は、図５に示すように、複数のファンガード部材５４ａと、複数のファンガード部材５４ａを固定する第二フランジ部５４ｂと、円環状部５４ｃと、第二爪部５４ｄとを有する。この外部ファンガード５４は、モータ５１及び羽根車５２が取り付けられた内部ファンガード５３の前面を覆うと共に、外部から指などが入らないようするためのものである。第二フランジ部５４ｂは、孔部４０よりも大きなサイズに形成されている。このため、外部ファンガード５４を服地部１０の表側から孔部４０に対応する位置に配置したときに、第二フランジ部５４ｂは送風手段取付部１２と当接することになる。すなわち、この第二フランジ部５４ｂは第一フランジ部５３ｃとともに、送風手段５０を服地部１０に取り付ける際に、送風手段取付部１２を挟み込む役割を果たす。【００４２】  円環状部５４ｃは、外部ファンガード５４の裏側であって、第二フランジ部５４ｂの内側端部に形成されている。ここで、この円環状部５４ｃの外径は、第一フランジ部５３ｃの内径よりも小さい。第二爪部５４ｄは、円環状部５４ｃの所定の二箇所に設けられている。外部ファンガード５４の裏側と内部ファンガード５３の表側とを対向させて、円環状部５４ｃを第一フランジ部５３ｃ内に挿入すると、第一爪部５３ｄと第二爪部５４ｄとが係合して、外部ファンガード５４が内部ファンガード５３にしっかりと固定される。このように、第一爪部５３ｄと第二爪部５４ｄとは、内部ファンガード５３と外部ファンガード５４とを着脱可能に取り付けるための着脱手段としての役割を果たす。尚、第一爪部５３ｄと第二爪部５４ｄのうち少なくとも一方には、スプリング性を持たせることが望ましい。これにより、内部ファンガード５３と外部ファンガード５４とをより容易に着脱することが可能となる。【００４３】  実際、送風手段５０としては、空調衣服の用途に応じてさまざまなタイプのものを用いることができる。例えば、重労働の作業時に使用される空調衣服には、送風手段５０として大型のものが用いられる。この大型の送風手段５０では、その羽根車５２の直径が約８０ｍｍであり、また、送風手段５０全体の重さが約６０グラムである。この大型の送風手段５０を二つ用いた空調衣服では、温度３３℃、湿度５０％の環境下で使用したときに、最大５００ｋｃａｌの空調能力が得られる。本実施形態では、送風手段５０として、このような大型の送風手段を用いることにしている。尚、送風手段５０としては、羽根車５２の軸方向から吸入した空気を羽根車５２の外周方向へ放射状に送り出すものを用いることが望ましい。【００４４】  送風手段５０は服地部１０に着脱自在に取り付けられている。図６は送風手段５０が服地部１０に取り付けられた状態を説明するための概略断面図である。具体的に、送風手段５０の取り付けは次のようにして行われる。まず、内部ファンガード５３と外部ファンガード５４とを孔部４０を介して互いに対向するように配置する。具体的には、服地部１０の表側に外部ファンガード５４を配置し、服地部１０の裏側に内部ファンガード５３を配置する。次に、外部ファンガード５４の円環状部５４ｃを孔部４０に挿入して、外部ファンガード５４の第二フランジ部５４ｂを送風手段取付部１２（ポリプロピレン・シート１２ａ）に当接させる。そして、内部ファンガード５３の第一爪部５３ｄと外部ファンガード５４の第二爪部５４ｄとの位置を合わせて、内部ファンガード５３の第一フランジ部５３ｃを送風手段取付部１２（ポリプロピレン・シート１２ａ）に押し当てる。これにより、図６に示すように、第一フランジ部５３ｃと第二フランジ部５４ｂとによって送風手段取付部１２、すなわちポリプロピレン・シート１２ａが挟み込まれると共に、第一爪部５３ｄと第二爪部５４ｄとが係合して、内部ファンガード５３と外部ファンガード５４とが連結する。こうして、送風手段５０が服地部１０に取り付けられる。一方、送風手段５０を服地部１０から取り外すには、第一爪部５３ｄと第二爪部５４ｄとの係合状態を解除すればよい。このように、送風手段５０は服地部１０に容易に着脱することができる。【００４５】  ところで、送風手段５０を上記の方法により服地部１０に取り付ける場合には、次のような問題が生じるおそれがある。すなわち、服地部１０の素材として、伸縮性のある素材を用いた場合には、例えば服地部１０が引っ張られると、孔部４０の径が拡がって、送風手段５０が服地部１０から外れてしまう可能性がある。しかしながら、本実施形態では、送風手段取付部１２に、非伸縮性を有するポリプロピレン・シート１２ａを設けると共に、送風手段５０の内部ファンガード５３と外部ファンガード５４とによってポリプロピレン・シート１２ａを挟み込んで、送風手段５０を服地部１０に取り付けている。このため、たとえ服地部１０が引っ張られたとしても、ポリプロピレン・シート１２ａは伸び縮みしないので、送風手段５０が服地部１０から外れてしまうのを防止することができる。【００４６】  また、空調衣服を製造する場合、孔部４０を形成する際に孔を機械で形成するが、この孔の形成作業は、服地部１０が引っ張られた状態で行われるので、機械で形成する孔の大きさ、したがって孔部４０の大きさにはどうしてもばらつきが出てしまう。しかし、本実施形態では、送風手段取付部１２に取り付けられるポリプロピレン・シート１２ａは高い精度で形成することができ、しかも、送風手段５０はポリプロピレン・シート１２ａを挟み込むことにより服地部１０に取り付けられるため、製造上、たとえ孔部４０の大きさに多少ばらつきが生じたとしても、そのばらつきはそれ程問題とならない。【００４７】  電源手段６０は、送風手段５０，５０に電力を供給するためのものである。電源手段６０は、例えば服地部１０の裏面に設けら���たポケットに収納される。ここでは、電源手段６０として、経済性の観点から二次電池を用いている。電源手段６０と二つの送風手段５０，５０とは電源ケーブル（不図示）により接続されている。また、電源手段６０と二つの送風手段５０，５０との間には、電源スイッチ（不図示）が設けられている。この電源スイッチは、電源手段６０から二つの送風手段５０，５０に供給する電力をオン・オフするものである。【００４８】  次に、吊り下げ手段１００について説明する。図７は吊り下げ手段１００を説明するための図、図８（ａ）は吊り下げ手段１００を設けない場合の送風手段５０の状態を説明するための図、図８（ｂ）は吊り下げ手段１００を設けた場合の送風手段５０の状態を説明するための図である。尚、図７及び図８では、固定手段２００及び間隔拡大手段３００を省略して示している。【００４９】  吊り下げ手段１００は、孔部４０に取り付けられた送風手段５０の前面が身体表面と略平行となるように、送風手段５０をその上方の服地部１０から吊り下げるものであり、服地部１０又は送風手段５０と着脱可能に構成されている。送風手段５０として大型のものを用いた場合には、その送風手段５０の重量が重いので、上述した方法で送風手段５０を服地部１０に取り付けたのでは、図８（ａ）に示すように送風手段５０が傾いてしまう。すなわち、送風手段５０の外部ファンガード５４の前面に垂直な方向が水平方向を向かず、斜め上方を向いてしまう。これでは、空調衣服の見た目が悪くなり、しかも、空調衣服の空調機能自体も低下してしまう。本実施形態では、吊り下げ手段１００を設けることにより、このような問題を解決することができる。【００５０】  吊り下げ手段１００は、図７に示すように、紐状部材１１０と、円環状部材１２０と、着脱手段１３０とを備える。かかる吊り下げ手段１００は、送風手段５０毎に設けられている。紐状部材１１０としては、通常の紐を用いることができるが、それ以外に、例えばベルト等の幅広の部材を用いてもよい。紐状部材１１０の一端は、送風手段５０の内部ファンガード５３の所定位置に取り付けられている。また、紐状部材１１０の他端には円環状部材１２０が取り付けられている。着脱手段１３０は、円環状部材１２０を着脱自在に取り付けるためのものである。ここでは、着脱手段１３０として、ナスカンを用いている。着脱手段１３０は、孔部４０の上方であってその孔部４０から所定距離だけ離れた服地部１０の裏面に設けられている。円環状部材１２０を着脱手段１３０に取り付けることにより、図８（ｂ）に示すように、送風手段５０の後部は紐状部材１１０によって上方に引き上げられ、送風手段５０の傾きが調整される。ここで、紐状部材１１０の長さは、円環状部材１２０を着脱手段１３０に取り付けたときに、送風手段５０の外部ファンガード５４の前面に垂直な方向が略水平方向を向くように予め調整しておく必要がある。このように、吊り下げ手段１００を設けたことにより、送風手段５０の前面が身体表面と略平行となるようにすることができるので、空調衣服を着用したときに送風手段５０の設けられた部分の見た目が悪くなるのを防止することができると共に、送風手段５０が傾いていることによって空調���力が低下するのを防止することができる。【００５１】  次に、固定手段２００について説明する。図９（ａ）は固定手段２００を説明するための図、図９（ｂ）はその固定手段２００の使用状態を説明するための概略断面図である。尚、図９（ａ），（ｂ）では、吊り下げ手段１００及び間隔拡大手段３００を省略して示している。また、図９（ａ）では、送風手段５０を省略して示している。【００５２】  固定手段２００は、送風手段５０，５０を身体又は下着に固定するためのものである。空調衣服の着用者が作業中に走ったり、跳ねたりすると、送風手段５０，５０が揺れて動いてしまう可能性がある。送風手段５０，５０が動くと、作業の内容によっては作業に重大な支障をきたす場合がある。このような問題があるのは、特に大型の送風手段を用いた場合である。小型の送風手段を用いた空調衣服については、送風手段が揺れると重大な支障をきたすというような作業に使用することを想定していないからである。固定手段２００を設けたことにより、着用者が激しく動いたとしても、送風手段５０，５０は揺れないようにすることができる。【００５３】  本実施形態では、図９（ａ）に示すように、固定手段２００として、一組の紐状部材２１０，２１０を用いる。かかる紐状部材２１０としては、普通の布地を用いることができるが、例えば、伸縮性のある素材のものを用いてもよい。また、紐状部材２１０としては、例えばベルト等を用いてもよい。一組の紐状部材２１０，２１０の端部はそれぞれ、各孔部４０，４０の近傍における服地部１０の裏面であって脇腹側の所定位置に取り付けられている。本実施形態では、一組の紐状部材２１０，２１０の端部をそれぞれ、送風手段取付部１２，１２の脇腹側部分に糸で縫い付けている。着用者は、空調衣服の前側のボタンを閉める前に、図９（ｂ）に示すように、一組の紐状部材２１０，２１０を身体の前面側に引き回し、それらの先端を連結する。当然、身体の背中側における二つの送風手段５０，５０の間隔は一定に規定されているので、一組の紐状部材２１０，２１０を身体の前面側で連結すると、二つの送風手段５０，５０は身体にしっかりと密着する。このように、固定手段２００を設けたことにより、着用者が動き回ったとしても送風手段５０，５０が揺れてしまうのを防止することができる。【００５４】  尚、本実施形態では、送風手段取付部１２に、非伸縮性を有するポリプロピレン・シート１２ａが設けられているので、一組の紐状部材２１０，２１０を身体の前面側で連結したときに、孔部４０，４０の径が拡がって送風手段５０，５０が送風手段取付部１２，１２から外れてしまうということはない。【００５５】  次に、間隔拡大手段３００について説明する。図１０（ａ）は間隔拡大手段３００を説明するための図、図１０（ｂ）はその間隔拡大手段３００を用いて二つの送風手段５０，５０の間隔を拡げた状態を説明するための図である。尚、図１０では、吊り下げ手段１００及び固定手段２００を省略して示している。【００５６】  間隔拡大手段３００は、身体の背中側において二つの送風手段５０，５０の間隔を拡大するためのものである。空調衣服を着用したまま、ソファーに座ったり、車の座席に座ったりすると、送���手段５０，５０が背もたれ部分に当たってしまう。この場合には、送風手段５０，５０の前面が塞がれることになるので、送風手段５０，５０の送風能力が低下してしまう。また、送風手段５０はある程度の厚みがあるため、送風手段５０が背中を押し付けることになり、着用者は座り心地がとても悪い。本実施形態では、車の座席に座る場合等に、間隔拡大手段３００を用いて二つの送風手段５０，５０の間隔を拡げることにより、送風手段５０，５０が背もたれ部分に当たらないようにすることができる。【００５７】  間隔拡大手段３００は、図１０（ａ）に示すように、剰余服地部３１０と、間隔保持手段３２０とを有するものである。剰余服地部３１０は、二つの送風手段５０，５０の間に位置する服地部１０の部分に服地を継ぎ足すようにして設けられている。通常、空調衣服の使用時には、この剰余服地部３１０は服地部１０の内側に押し込まれている。例えば、Ｍサイズの空調衣服の場合、剰余服地部３１０を服地部１０の内側に押し込んだ状態では、二つの送風手段５０，５０の間隔は約３８０ｍｍである。一方、この剰余服地部３１０を拡げると、二つの送風手段５０，５０の間隔は約４８０ｍｍとなる。したがって、剰余服地部３１０を拡げることにより、二つの送風手段５０，５０をそれぞれ左右の脇腹に対応する位置に移動させることができる。【００５８】  間隔保持手段３２０は、二つの送風手段５０，５０の間隔を一定に保持するためのものである。この間隔保持手段３２０は、一組の紐状部材３２１，３２１と、接続器具３２２，３２２とを備える。紐状部材３２１としては、通常の紐を用いることができるが、それ以外に、例えばベルト等の幅広の部材を用いてもよい。一組の紐状部材３２１，３２１はそれぞれ、送風手段取付部１２，１２に取り付けられる。具体的には、一組の紐状部材３２１，３２１の端部はそれぞれ、服地部１０の表面であって送風手段取付部１２，１２の背中側の部分に糸で縫い付けている。また、各紐状部材３２１，３２１の他方の端部には、接続器具３２２，３２２が取り付けられている。各紐状部材３２１，３２１に取り付けられた接続器具３２２，３２２を互いに接続することにより、二つの送風手段５０，５０の間の間隔を一定に保持することができる。ここで、二つの接続器具３２２，３２２を接続したときに、二つの送風手段５０，５０の間の間隔が、剰余服地部３１０が服地部１０の内側に押し込まれている状態のときの間隔である約３８０ｍｍになるように、紐状部材３２１，３２１の長さを調整している。【００５９】  通常、空調衣服を使用する場合には、図１０（ａ）に示すように、剰余服地部３１０を服地部１０の内側に押し込むと共に、間隔保持手段３２０を用いて二つの送風手段５０，５０の間の間隔を約３８０ｍｍに保持する。これにより、二つの送風手段５０，５０は、服地部１０の背中側の下部であって脇腹に近い左右両側に位置することになる。一方、車の座席に座る場合等には、図１０（ｂ）に示すように、間隔保持手段３２０の接続器具３２２，３２２の接続状態を解除して剰余服地部３１０を拡げると共に、二つの送風手段５０，５０をそれぞれ左右の脇腹に対応する位置に移動させる。これにより、着用者は、座席の���もたれ部分に寄り掛かかっても、送風手段５０，５０が着用者の背中を押し付けることはない。したがって、座り心地が改善される。また、着用者が背もたれ部分に寄り掛かった状態でも、送風手段５０，５０の前面が背もたれ部分によって塞がれてしまうことはなく、送風手段５０，５０の送風能力が低下することはない。この場合、背中が服地部１０を介して背もたれ部分と接触しているので、当然、背中側には送風手段５０，５０からの空気は流通しないが、身体の前面側及び脇腹側には空気が流通するので、かかる部分を冷却することができる。【００６０】  尚、本実施形態では、送風手段取付部１２に略円環形状のポリプロピレン・シートを設けると共に紐状部材３２１を送風手段取付部１２に取り付けたことにより、例えば、二つの送風手段５０，５０を手で引き寄せ、間隔保持手段３２０を用いて二つの送風手段５０，５０の間隔を一定に保持したときや、間隔保持手段３２０を解除して二つの送風手段５０，５０の間隔を手で拡げたときに、孔部４０，４０の形状が変形して送風手段５０，５０が送風手段取付部１２，１２から外れてしまうということはない。また、間隔拡大手段３００としては、二つの送風手段５０，５０の間隔を少なくとも５０ｍｍ、多くとも２００ｍｍ拡大するものを用いることが好ましい。【００６１】  本実施形態の空調衣服では、電源手段６０と送風手段５０，５０との間に設けた電源スイッチをオンにすると、二つの送風手段５０，５０がそれぞれ外部の空気を服地部１０内に取り込む。このとき、その取り込まれた空気の圧力によって、服地部１０と身体又は下着との間に身体の表面に平行な空気を流すための空間が自動的に形成される。これにより、服地部１０と身体又は下着との間の空間において、上半身を包み込むような空気の流れが生じる。そして、その空気は空気流通部３０，３０，３０に達すると、そこから外部に排出される。このように、身体の表面に平行に空気の流れを発生させることにより、身体の表面における湿度勾配を大きくすることができるので、身体が必要とする放熱量に対応する量の汗を気化させ、その気化の際に人体から気化熱が奪われることを利用して身体を冷却することができる。【００６２】  本実施形態の空調衣服では、孔部の周囲における服地部に、略円環形状のポリプロピレン・シートを取り付けると共に、送風手段の外部ファンガード及び内部ファンガードを孔部を介して互いに対向するように配置した後、二つの部品でポリプロピレン・シートを挟み込み、その挟み込んだ状態のまま外部ファンガードと内部ファンガードとを連結することにより、送風手段を服地部に取り付けている。このため、たとえ服地部が引っ張られたとしても、送風手段が服地部から外れてしまうのを防止することができる。したがって、着用者は空調衣服の着用時に送風手段が外れないように細心の注意を払う必要がなくなり、空調衣服の使い勝手がとても向上する。【００６３】  また、本実施形態の空調衣服では、孔部に取り付けられた送風手段の前面が身体表面と略平行となるように、送風手段を上方から吊り下げる吊り下げ手段を備えることにより、空調衣服を着用したときに送風手段の設けられた部分の見た目が悪くなるのを防止すること��できると共に、送風手段が傾いていることによって空調能力が低下するのを防止することができる。したがって、着用者は空調衣服の着用時にその外観を気にする必要がなくなり、空調衣服の使い勝手がとても向上する。【００６４】  また、本実施形態の空調衣服では、送風手段を身体又は下着に固定するための固定手段を備えることにより、着用者が動き回ったとしても送風手段が揺れてしまうのを防止することができる。このため、送風手段が揺れ動くことにより作業に重大な支障が生じるという事態の発生を未然に防止することができる。したがって、着用者は空調衣服の着用時に送風手段が揺れないように細心の注意を払う必要がなくなり、空調衣服の使い勝手がとても向上する。【００６５】  更に、本実施形態の空調衣服では、二つの送風手段の間隔を拡大するための間隔拡大手段を備えることにより、例えば車の座席に座る場合等には、間隔拡大手段を用いて二つの送風手段をそれぞれ左右の脇腹に対応する位置に移動させることができる。このため、着用者は、座席の背もたれ部分に寄り掛かかっても、送風手段が着用者の背中を押し付けることはなく、したがって、座り心地が改善される。また、着用者が背もたれ部分に寄り掛かった状態でも、送風手段の前面が背もたれ部分によって塞がれてしまうことはなく、送風手段の送風能力が低下することはない。したがって、着用者は空調衣服の着用時に、椅子の背もたれ部分に寄り掛からないように注意を払う必要がなくなり、空調衣服の使い勝手がとても向上する。【００６６】  尚、本発明は上記の実施形態に限定されるものではなく、その要旨の範囲内において種々の変形が可能である。【００６７】  例えば、上記の実施形態では、送風手段取付部にポリプロピレン・シートを設けた場合について説明したが、送風手段取付部に設ける素材としては、ポリプロピレン・シートに限らず、略円環形状の非伸縮性の素材であればどのようなものでも用いることができる。また、非伸縮性の素材は必ずしもシート状のものである必要はなく、例えば、ある一定の厚みを有するものであってもよい。【００６８】  また、上記の実施形態では、間隔拡大手段として、間隔保持具と、剰余服地部とを備えるものを用いた場合について説明したが、間隔拡大手段としては、二つの送風手段の間に位置する服地部の部分において上下方向に沿って形成された、服地部の後部を開閉するための後部開閉手段を用いてもよい。具体的に、後部開閉手段としては、ファスナー、マジックテープ（登録商標）、ボタン等が用いられる。図１１（ａ）は間隔拡大手段の変形例を説明するための図、図１１（ｂ）はその間隔拡大手段を用いて二つの送風手段の間隔を拡げた状態を説明するための図である。ここで、図１１では、吊り下げ手段１００及び固定手段２００を省略して示している。【００６９】  この変形例では、間隔拡大手段（後部開閉手段）として特にファスナー３００ａを用いた場合を示している。この場合、二つの送風手段５０，５０の間に位置する服地部１０の部分に上下に切り込みを入れ、その切り込みを入れた部分にファスナー３００ａを設けている。したがって、通常、空調衣服を使用する場合には、図１１（ａ）に示すように、ファスナー３００ａを閉め��、二つの送風手段５０，５０の間の間隔を約３８０ｍｍに保持する。これにより、二つの送風手段５０，５０は、服地部１０の背中側の下部であって脇腹に近い左右両側に位置することになる。一方、車の座席に座った場合等には、図１１（ｂ）に示すように、ファスナー３００ａを開けて、二つの送風手段５０，５０をそれぞれ左右の脇腹に対応する位置に移動させる。これにより、着用者は、座席の背もたれ部分に寄り掛かかっても、送風手段が着用者の背中を押し付けることはない。尚、ファスナー３００ａを開けたときに、背中が外部から見えないようにするために、二つの送風手段５０，５０の間における服地部１０の部分に裏布を設けるようにしてもよい。【００７０】  更に、上記の実施形態では、送風手段として、内部フィンガードと外部フィンガードとで送風手段取付部を挟み込むことにより服地部に取り付ける構造のものを用いた場合について説明した。このため、空調衣服を洗濯する場合等、送風手段を服地部から取り外したときに、空調衣服の使用者が羽根車を直接、触ることが可能である。このように送風手段が二つに分離された状態にあるときに、万一、羽根車が回転すると思わぬ事故が起こる可能性もある。したがって、送風手段としては、内部フィンガードと外部フィンガードとが一体化されて、二つに分離できないようなものを用いることが望ましい。かかる一体型の送風手段を用いる場合には、その送風手段を服地部にどのようにして着脱するかが問題となる。【００７１】  次に、この問題の解決法について説明する。図１２は一体型の送風手段を用いた場合にその送風手段の服地部への着脱方法を説明するための図である。図１２に示すように、一体型の送風手段５００は、本体部品５１０と、取付部品５２０とを備える。本体部品５１０は、略円筒形状の収納部５１１と、フランジ部５１２とを有する。収納部５１１は、モータ及び羽根車を収納すると共に、指が内部に入るのを防止するファンガードの役割を果たす。収納部５１１の円筒形状の外径は、送風手段取付部１２に設けた略円環形状のポリプロピレン・シート１２ａの内径と略同じである。また、フランジ部５１２は、収納部５１１の前面側に設けられている。このフランジ部５１２は、孔部４０よりも大きく形成されている。具体的には、フランジ部５１２は、収納部５１１を孔部４０に挿入したときに、送風手段取付部１２と当接するような大きさに形成されている。尚、図１２では、モータ及び羽根車を省略して示している。また、本体部品５１０については、その外形を主として描いており、本体部品５１０の有するファンガード部材等については省略して示している。【００７２】  取付部品５２０は、本体部品５１０を服地部１０に取り付けるための専用の部品である。この取付部品５２０は、略円環形状をしている。その円環形状の内径は収納部５１１の円筒形状の外径と略同じである。この取付部品５２０は、本体部品５１０の後方から収納部５１１を覆うようにして本体部品５１０に着脱可能に取り付けられる。ここで、取付部品５２０を本体部品５１０に取り付ける機構としては、例えば、本体部品５１０に設けられた第一爪部（第一係合手段）と取付部品５２０に設けられた第二爪部（第二係合手段）��を係合させることにより本体部品５１０と取付部品５２０とを着脱自在に取り付けるという機構（着脱手段）を用いることができる。このとき、これらの爪部のうち少なくとも一方には、スプリング性を持たせることが望ましい。これにより、本体部品５１０と取付部品５２０とをより容易に着脱することが可能となる。尚、第一係合手段及び第二係合手段としては、第一爪部及び第二爪部以外にもさまざまなものを用いることができる。具体的に、第一係合手段及び第二係合手段の組み合わせとしては、爪部と溝部、突起部と溝部、爪部と部品端部、突起部と部品端部等を用いることができる。このときも、爪部又は突起部にはスプリング性を持たせることが望ましい。【００７３】  一体型の送風手段５００を服地部１０に取り付ける場合には、まず、本体部品５１０の収納部５１１を服地部１０の表側から孔部４０に挿入し、フランジ部５１２を送風手段取付部１２と当接させる。次に、服地部１０の裏側から収納部５１１を覆うようにして取付部品５２０を本体部品５１０に取り付けて、取付部品５２０を送風手段取付部１２に当接させる。こうして、図１２に示すように、フランジ部５１２と取付部品５２０とにより送風手段取付部１２を挟み込むことにより、送風手段５００が服地部１０に取り付けられる。このため、かかる一体型の送風手段５００を用いると、送風手段５００の着脱を安全に行うことができると共に、その着脱を一層容易に行うことができる。したがって、空調衣服の使い勝手がとても向上する。
【産業上の利用可能性】
【００７４】  以上説明したように、本発明の空調衣服によれば、孔部の周囲における服地部に、シート状のポリプロピレン・シートを取り付けると共に、送風手段の二つの部品でポリプロピレン・シートを挟み込み、その挟み込んだ状態のまま外部ファンガードと内部ファンガードとを連結することにより、送風手段を服地部に取り付けているので、たとえ服地部が引っ張られたとしても、送風手段が服地部から外れてしまうのを防止することができる。また、孔部に取り付けられた送風手段の前面が身体表面と略平行となるように、送風手段を上方から吊り下げる吊り下げ手段を備えることにより、空調衣服を着用したときに送風手段の設けられた部分の見た目が悪くなるのを防止することができると共に、送風手段が傾いていることによって空調能力が低下するのを防止することができる。また、送風手段を身体又は下着に固定するための固定手段を備えることにより、着用者が動き回ったとしても送風手段が揺れてしまうのを防止することができるので、送風手段が揺れ動くことにより作業に重大な支障が生じるという事態の発生を未然に防止することができる。更に、二つの送風手段の間隔を拡大するための間隔拡大手段を備えることにより、例えば車の座席に座る場合等には、間隔拡大手段を用いて二つの送風手段をそれぞれ左右の脇腹に対応する位置に移動させることができるので、着用者は、座席の背もたれ部分に寄り掛かかっても、送風手段が着用者の背中を押し付けることはなく、座り心地が改善される。したがって、本発明の空調衣服は、作業用衣服、アウトドア用衣服、つなぎ型衣服、ジャンパー型衣服等、さまざまな用途の衣服に適用することができる。
【図１】
2006009108.tif 000002
【図２】
2006009108.tif 000003
【図３】
2006009108.tif 000004
【図４】
2006009108.tif 000005
【図５】
2006009108.tif 000006
【図６】
2006009108.tif 000007
【図７】
2006009108.tif 000008
【図８】
2006009108.tif 000009
【図９】
2006009108.tif 000010
【図１０】
2006009108.tif 000011
【図１１】
2006009108.tif 000012
【図１２】
2006009108.tif 000013
【国際調査報告】
2006009108.tif 000014
2006009108.tif 000015
2006009108.tif 000016
2006009108.tif 000017
2006009108.tif 000018
2006009108.tif 000019